(57)【要約】【課題】アラーム針によって視認性良くアラーム時刻が設定でき、かつ、アラームを発生させる予定時刻を正確に設定することができるアラーム針駆動装置を提供する。【解決手段】アラーム時刻を制御するアラーム時刻制御機構１７に対応して移動するアラーム針９が備えられ、前記アラーム時刻制御機構１７には、前記アラーム時刻を指定するための導電体で形成されたパターン２７、２９と、前記パターン２７、２９に接触し、前記アラーム針９に連動する導電体で形成された接片２３ａ、２５ａと、を有することを特徴とする。また、前記アラーム針９は、伝達部材を介して移動し、前記伝達部材は、前記アラーム針９が取り付けられるアラーム車３１及び前記アラーム時刻制御機構１７を駆動する伝え歯車３３であることを特徴とする。【選択図】図６
2007292517.tif 000002
【特許請求の範囲】
【請求項１】
アラーム時刻を制御するアラーム時刻制御機構に対応して移動するアラーム針が備えられ、
前記アラーム時刻制御機構には、前記アラーム時刻を指定するための導電体で形成されたパターンと、
前記パターンに接触し、前記アラーム針に連動する導電体で形成された接片と、
を有することを特徴とするアラーム針駆動装置。
【請求項２】
前記アラーム針は、伝達部材を介して移動し、
前記伝達部材は、前記アラーム針が取り付けられるアラーム車、及び、前記アラーム時刻制御機構を駆動する伝え歯車であることを特徴とする、請求項１に記載のアラーム針駆動装置。
【請求項３】
前記アラーム時刻制御機構は、
それぞれに前記接片を有し、互いに連動する少なくとも２つの回転体と、
少なくとも２つの前記パターンを設けたアラーム時刻制御回路基板と、
を備えることを特徴とする、請求項１または２に記載のアラーム針駆動装置。
【請求項４】
前記パターンは、前記アラーム時刻制御回路基板上に環状に形成されることを特徴とする、請求項１乃至３のいずれか１項に記載のアラーム針駆動装置。
【請求項５】
前記パターンには、非導通部分が直径方向に所定の間隔で配置されることを特徴とする、請求項４に記載のアラーム針駆動装置。
【請求項６】
前記回転体は、分に対応する第１の回転体と、時に対応する第２の回転体とであって、前記パターンは、前記第１の回転体に対応する第１のパターンと、前記第２の回転体に対応する第２のパターンとであり、前記第１のパターンと前記第２のパターンはそれぞれ同心に配置された、内側の導通パターンと外側の導通パターンとを有し、前記第１の回転体の接片によって前記第１のパターンの前記内側の導通パターンと前記外側の導通パターンとを互いに導通させて前記アラーム時刻の分を指定し、前記第２の回転体の接片によって前記第２のパターンの前記内側の導通パターンと前記外側の導通パターンとを互いに導通させて前記アラーム時刻の時を指定する、
ことを特徴とする、請求項５に記載のアラーム針駆動装置。
【請求項７】
前記非導通部分は、段状の形状であって、前記非導通部分で分割されて隣り合ったパターンが互いに入り組むように形成され、前記接片は先端が２つに分岐して、前記パターンとの接点となり、前記接点のうちいずれか一方の接点が非導通部で停止するような場合であっても、他方の接点が隣り合ったパターンのいずれか一方に導通する、
ことを特徴とする請求項６に記載のアラーム針駆動装置。
【請求項８】
請求項１乃至７のいずれか１項に記載のアラーム針駆動装置と、
前記アラーム針駆動装置によって設定されたアラーム時刻に基づき、アラーム音の発生を制御する制御回路基板を備えるムーブメント装置と、
を有することを特徴とする時計。
【発明の詳細な説明】
【技術分野】
【０００１】
本発明は、目覚し時計に関し、特にアラーム時刻を設定するアラーム針駆動装置及びこれを用いた時計に関する。
【背景技術】
【０００２】
標準時刻電波を受信し、その時刻コードに基づいて不正確な時刻表示を秒単位で正確な時刻へと修正する目覚し時計が知られている。このような目覚し時計には、アラーム音を発生させたい時刻を時計盤上で設定するアラーム針や、デジタル等で表示された時刻を確認して設定する表示板等が設けられている。例えば、アラーム針が設けられた目覚し時計では、時計の指針（長針や短針）の駆動に連動して、時計の指針とアラームを発生させる回路との接点が切り換わり、導通状態となることで、アラーム音が発生する。
【０００３】
しかしながら、標準時刻電波によって正確な時刻を表示する目覚し時計であっても、上述したアラーム針によるアラーム音の発生は、指針等を駆動する部品の誤差等により、必ずしも正確で細かなアラーム時刻の設定をできるものでなかった。このような問題点に対し、例えば、特許文献１では、アラーム音を正確なタイミングで発生させる時計装置が開示されている。
【０００４】
特許文献１によれば、アラーム音を発生させる予定時刻に達する前に予め目安カムが落ち、目安接点と接触してＯＮ状態に切り換わり、当該予定時刻に達するまで時刻カウンタによってカウントし、所定のカウント値に到達した際に、制御部が目安接点と報知手段とを導通状態とすることで、正確にアラーム音を発生させることができるようにしている。
【特許文献１】特開２００２−３１８２９１号公報
【発明の開示】
【発明が解決しようとする課題】
【０００５】
しかしながら、特許文献１において、部品の１つである目安カムを落とすタイミングは依然として部品の精度に関わってしまうという問題点がある。そのため、特許文献１においては、アラーム音を発生させる正確な時刻設定という点で、概ね±５分、すなわち、１０分程度の誤差は止むを得なく、それ以上の細かな時刻設定は部品の精度に依存せざるを得ない。
【０００６】
また、デジタル等で表示された表示板をアラーム時刻設定に使用すれば、分単位で正確に設定をすることが可能となるが、アナログ表示に慣れ親しんでいる使用者にとっては嫌悪感があり、使いづらいという意見もあった。
【０００７】
本発明は上述した問題点に鑑みてなされたものであり、アラーム針によって視認性良くアラーム時刻が設定でき、かつ、アラームを発生させる予定時刻を正確に設定することができるアラーム針駆動装置を提供する。
【課題を解決するための手段】
【０００８】
上述した問題点を解決するために、本発明のアラーム針駆動装置は、アラーム時刻を制御するアラーム時刻制御機構に対応して移動するアラーム針が備えられ、
前記アラーム時刻制御機構には、前記アラーム時刻を指定するための導電体で形成されたパターンと、前記パターンに接触し、前記アラーム針に連動する導電体で形成された接片と、を有することを特徴とする。このような構成により、アラーム針を視認して移動させることと同期して、アラーム時刻の制御が可能となる。
【０００９】
また、本発明において前記アラーム針は、伝達部材を介して移動し、前記伝達部材は、前記アラーム針が取り付けられるアラーム車及び前記アラーム時刻制御機構を駆動する伝え歯車であることを特徴とする。
【００１０】
また、本発明において、前記アラーム時刻制御機構は、それぞれに前記接片を有し、互いに連動する少なくとも２つの回転体と、少なくとも２つの前記パターンを設けたアラーム時刻制御回路基板と、を備えることを特徴とする。
【００１１】
また、本発明は、前記パターンが、前記アラーム時刻制御回路基板上に環状に形成されることを特徴とする。このような構成により、回転体の動きに合わせたアラーム時刻の制御が可能となる。
【００１２】
また、本発明の前記回転体は、分に対応する第１の回転体と時に対応する第２の回転体とであって、前記パターンは、前記第１の回転体に対応する第１のパターンと、前記第２の回転体に対応する第２のパターンとであり、前記第１のパターンと前記第２のパターンはそれぞれ同心に配置された、内側の導通パターンと外側の導通パターンを有し、前記第１の回転体の接片によって前記第１のパターンの前記内側の導通パターンと前記外側の導通パターンとを互いに導通させて前記アラーム時刻の分を指定し、前記第２の回転体の接片によって前記第２のパターンの前記内側の導通パターンと前記外側の導通パターンとを互いに導通させて前記アラーム時刻の時を指定する、ことを特徴とする。このような構成により、アラーム時刻の設定の切替えが可能となる。
【００１３】
また、本発明は、前記非導通部分が、段状の形状であって、前記非導通部分で分割されて隣り合ったパターンが互いに入り組むように形成され、前記接片は先端が２つに分岐して、前記パターンとの接点となり、前記接点のうちいずれか一方の接点が非導通部で停止するような場合であっても、他方の接点が隣り合ったパターンのいずれか一方に導通する、ことを特徴とする。このような構成により、接点が非導通部分のみに止まってアラーム音を発生させる時刻を認識できないということが起こらなくなる。
【００１４】
また、本発明は、上述したアラーム針駆動装置と、前記アラーム針駆動装置によって設定されたアラーム時刻に基づき、アラーム音の発生を制御する制御回路基板を備えるムーブメント装置と、を有することを特徴とする。このような構成により、アラーム針を視認でき、かつ、正確で細かなアラーム時刻設定が可能となる時計を提供することができる。
【発明の効果】
【００１５】
本発明に係るアラーム針駆動装置によれば、アラーム針を視認しながら、部品の精度によらない正確で細かなアラーム時刻設定が可能となるため、電波修正機能に適用可能な目覚し時計を提供することできる。
【発明を実施するための最良の形態】
【００１６】
以下、本発明の実施の形態について、図面を参照して具体的に説明する。
【００１７】
図１は、本発明の実施の形態にかかる目覚し時計１の正面図である。図１において、目覚し時計１は、時刻を表示する指針である長針３及び短針５と、秒を指し示す秒針６と、目覚し時計１の略中心部に内蔵され、目覚し時計１を動作させるムーブメント装置７と、アラームを発生させる時刻を表示するアラーム針９及び当該アラーム針９を移動させる操作部１１とを備えるアラーム針駆動装置１３と、を有する。
【００１８】
操作部１１は、例えば、回転体等であり、矢印に示すように当該回転体を右回りまたは左回りに回転させることで、アラーム針９の操作が可能となる。すなわち、このような操作をすることによって、アラーム針９は、アラーム針駆動装置１３から駆動力を得て、時計回りまたは反時計回りに移動し、アラーム時刻の設定が可能となる。
【００１９】
より詳細には、例えば、回転体の回転動作が間欠的に区切られており、回転体を１４４回連続して右回りまたは左回りに操作することで、回転体が１回転するような場合、アラーム針９は当該回転体に連動して２．５°づつの間隔で間欠的に移動する。このようにアラーム針９が移動することで、アラーム時刻は５分間隔で設定されることになる。
【００２０】
また、図２は、目覚し時計１のブロック図である。目覚し時計１は、図２に示すように、目覚し時計１を制御する制御回路基板１５と、時刻を計時する内部時計１６と、クロック信号を発信する発信器１８と、標準時刻情報の電波を受信する時刻情報受信手段２０と、内部時計１６が計時する時刻を表示する時刻表示手段２２と、アラーム時刻を制御するアラーム時刻制御機構１７と、内部時計１６の時刻がアラーム設定時刻に達すると作動する報知手段２４と、を備える。
【００２１】
制御回路基板１５は、例えば、半導体メモリ等の記憶手段やマイクロコンピュータを備え、電池等の電源から電力が供給されることで動作する。記憶手段は、例えば、ＲＡＭ（Random Access Memory）やＲＯＭ（Read Only Memory）等で構成され、制御回路のワークスペースとして用いられ、また、所定のプログラム等を格納する。さらに、時刻情報受信手段２０から得られた標準時刻情報に基づいて内部時計１６の時刻を修正する。
【００２２】
内部時計１６は、例えば、年情報カウンタ、月情報カウンタ、日情報カウンタ、曜日情報カウンタ、時情報カウンタ、分情報カウンタ、秒情報カウンタ等を含み、クロック信号に基づいて当該情報を計時する。時刻情報受信手段２０は、アンテナ回路など、標準時刻情報の電波を受信する手段である。時刻表示手段２２は、指針３、５及び秒針６を駆動するムーブメント装置７を備えるものである。報知手段２４は、スピーカ等を備え、アラーム設定時刻に到達するとメロディやチャイム等のアラームを発生するものである。
【００２３】
図３は、上述したムーブメント装置７の平面図である。図３に示すように、ムーブメント装置７には、目覚し時計１を制御する制御回路基板１５と、制御回路基板１５に接続され、アラーム時刻を制御するアラーム時刻制御機構１７とが保持部材１９を挟むように形成されている。
【００２４】
アラーム時刻制御機構１７は、アラーム時刻を制御するアラーム時刻制御回路基板２１と、アラーム時刻制御回路基板２１上に配され、保持部材１９に回転自在に取り付けられた、アラーム時刻の「分」を制御する第１の回転体２３及びアラーム時刻の「時」を制御する第２の回転体２５とを備える。第１の回転体２３及び第２の回転体２５はそれぞれ歯車であって、お互いに噛み合わさるように同一平面上に配置されている。したがって、例えば、第１の回転体２３が時計回りに回転すると、その駆動力が第２の回転体２５に及び、第２の回転体２５は反時計回りに回転する。さらに、第１の回転体２３の回転動作に連動して、図示しない歯車からアラーム針９に駆動力が伝わり、アラーム針９が移動する。
【００２５】
さらに、アラーム時刻制御機構１７について図４及び図５を参照して説明する。図４は、アラーム時刻制御機構１７を分解した平面図である。また、図５は、アラーム時刻制御機構１７の縦断面図である。なお、以下の図面において、図３に示されるアラーム時刻制御機構の各部と同様の構成には同一符号を付し、その説明を省略する。
【００２６】
図４に示すように、第１の回転体２３及び第２の回転体２５の裏面には、それぞれ導電体で形成された第１の接片２３ａ及び第２の接片２５ａが形成され、さらに、第１の回転体２３の裏面には、第１の回転体２３の径より小さい小径歯車２６が設けられている。一方、アラーム時刻制御回路基板２１の表面には、第１の回転体２３及び第２の回転体２５それぞれの回転角度を検出するための導電体で形成された第１のパターン２７及び第２のパターン２９が形成されている。
【００２７】
第１のパターン２７及び第２のパターン２９は、いずれも環状の形状を有している。また、第１のパターン２７及び第２のパターン２９は、いずれも、内側のパターンと、内側のパターンを取り囲む外側のパターンとから構成され、内側のパターンの外周と外側のパターンの内周との間には非導通状態となる非導通部分３０が形成されている。
【００２８】
さらに、内側のパターン及び外側のパターンのいずれもが、所望の間隔で、直径方向に非導通部分３０を設け、部分的に非導通状態になるように分割されている。本実施の形態においては、内側のパターンには、非導通部分３０が直径方向に段状となって２箇所対向して形成されており、また、外側のパターンは直径方向に段状となって１０箇所形成されている。
【００２９】
また、図５に示すように、第１の回転体２３と第２の回転体２５とは、同一平面上に噛み合って配置されており、さらに、第１のパターン２７が第１の接片２３ａと接触し、また、第２のパターン２９が第２の接片２５ａと接触可能となるように配置されている。
【００３０】
より詳細には、第１の回転体２３に形成された第１の接片２３ａは、第１のパターン２７の内側のパターン及び外側のパターンをまたがって接触する。第２の回転体２５に形成された第２の接片２５ａは、第２のパターン２９の内側のパターン及び外側のパターンをまたがって接触する。
【００３１】
このように、各接片２３ａ、２５ａが、第１のパターン２７及び第２のパターン２９に接触しながらアラーム時刻制御回路基板２１上に配され、保持部材１９に回転自在に取り付けられた、第１の回転体２３及び第２の回転体２５が回転すると、それに合わせて各接片２３ａ、２５ａは回転し、それぞれの接片２３ａ、２５ａは第１のパターン２７及び第２のパターン２９のそれぞれ内側のパターン及び外側のパターンと非接触及び接触を繰り返す。
【００３２】
このような非接触、接触を繰り返すことにより、パターン間が非導通状態または導通状態に設定される。この非導通状態または導通状態が設定された状態により、アラーム時刻を検出する回路パターンが形成され、アラーム時刻が認識される。
【００３３】
このパターンを図８に示す。本実施形態においては、第１のパターン２７は内側のパターンと外側のパターンが同心状に配置されており、内側のパターンが２分割されて、それぞれに外側のパターンを６分割して割り当てることで、１２種類の導電パターンが設けられている。第１の回転体２３が１周で６０分に達することから、１つの導電パターンは、５分間隔であることが分かる。同様に、第２のパターン２９は、内側のパターンが２分割され、それぞれに外側のパターンを６分割して割り当てることで、１２種類の導電パターンが設けられており、第２の回転体２５が１周で１２時間に達することから、１つの導電パターンは、１時間間隔であることが分かる。
【００３４】
本実施例においては、第１の回転体２３の接片２３ａによって第１のパターン２７の内側の導通パターンと外側の導通パターンを互いに導通させてアラーム時刻の分を指定し、第２の回転体２５の接片２５ａによって第２のパターン２９の内側の導通パターンと外側の導通パターンを互いに導通させてアラーム時刻の時を指定する。
【００３５】
例えば図９では、図８で示した第１のパターン２７のＰ１３とＳＥＧ１３とが導通しており、これは００分を表している。また図８で示した第２のパターン２９はＰ１１とＳＥＧ１が導通しており、これは１２時を示している。従って、図９においてアラーム時刻は１２時００分に設定されている。なお、図１０にパターンと時刻との関係を示す。
【００３６】
なお、本実施の形態においては、アラーム時刻制御回路基板２１に形成された第１のパターン２７は、５分間隔でアラーム時刻設定ができるようにパターン化されているが、例えば、さらに非導通部分を設け当該パターンを細かくすることで、従来のように部品の精度によらない、細かなアラーム時刻設定が実現可能となる。
【００３７】
本実施例において図９に示すように非導通部分３０は段状の形状であって、それぞれのパターンが互いに入り組むように形成されている。また、パターンに接触する接片の接点は先端がそれぞれ２つに分岐しており、いずれか一方が非導通部分で停止するような場合であっても、他方の接点が隣り合ったパターンのいずれか一方に導通することができる。
【００３８】
第１の接片２３ａの一方の端部を２３ａａとし、もう一方の端部を２３ａｂとする。そして、一方の端部２３ａａの分岐した一方を接点２３ａａ１とし、他方を接点２３ａａ２とする。また、他方の端部２３ａｂのうち分岐した一方を接点２３ａｂ１とし、他方を接点２３ａｂ２とする。
【００３９】
同様に、第２の接片２５ａの一方の端部を２５ａａとし、他方の端部を２５ａｂとする。そして、一方の端部２５ａａの分岐した一方を接点２５ａａ１とし、他方を接点２５ａａ２とする。また、他方の端部２５ａｂのうち分岐した一方を接点２５ａｂ１とし、他方を接点２５ａｂ２とする。
【００４０】
図１１は第１のパターン２７において第１の接片２３ａの接点２３ａａ１が図８に示すＳＥＧ１３とＳＥＧ１５の間の非導通部に、接点２３ａａ２がＳＥＧ１３に接触した状態に位置決めされ、接点２３ａｂ１と接点２３ａｂ２が両方ともＰ１３に位置決められて停止した状態を示している。
【００４１】
このように第１のパターン２７の非導通部分は段状の形状であって、それぞれのパターンが互いに入り組むように形成されているので、一方の接点が非導通部で停止しても、もう一方の接点が必ず導通部に接触するようにパターンが配されているので、接点が非導通部のみに止まってアラーム音を発生させる時刻を認識できないということが起こらなくなる。なお、第２のパターン２９と第２の接片２５ａについても同様の関係が成立する。
【００４２】
次にパターンとアラーム時刻の関係について説明する。
【００４３】
図１２において第１の接片２３ａの接点２３ａａ１は図８に示すＳＥＧ１５に接触し、接点２３ａａ２はＳＥＧ１３に接触している。また、接点２３ａｂ１と接点２３ａｂ２は両方ともＰ１３に接触している。
【００４４】
この場合、アラーム時刻は００分と５５分の両方に設定されていることになるが、本実施例おいてはこうした場合は５５分にアラームを鳴らす。すなわち、２つのアラーム時刻が設定された場合は、必ず早い方の時刻にアラームを鳴らすように設定されている。このようにすることで、決められた時刻よりも早く目を覚ますことになるが、遅れて目覚めるという事態を防止するという意味で、目覚まし時計としての目的が確実に果たされる。
【００４５】
さらに、本発明の実施の形態に係るアラーム針駆動装置１３について図６及び図７を参照して説明する。図６は、アラーム針駆動装置１３の平面図である。図７は、アラーム針駆動装置１３の縦断面図である。
【００４６】
アラーム針駆動装置１３は、上述した第１の回転体２３及び第２の回転体２５と、アラーム針９を移動させるアラーム車３１と、伝達部材であって、第１の回転体２３及びアラーム車３１に噛み合う伝え歯車３３と、操作部１１からの駆動力を伝え歯車３３に伝える操作歯車３４ａ及び３４ｂと、を備える。なお、操作歯車の個数は本実施形態の数に限られず、適宜変更することが可能である。
【００４７】
伝え歯車３３の裏面には、伝え歯車３３の径よりも小さい中径歯車３５が設けられ、アラーム車３１と噛み合う。また、伝え歯車３３は、第１の回転体２３に設けられた小径歯車２６と噛み合う。さらに、伝え歯車３３には、操作歯車３４ａが噛みあう一方、操作歯車３４ａは操作歯車３４ｂの裏面に設けられた大径歯車３４ｃと噛み合う。操作歯車３４ｂは、操作部１１と噛み合う。
【００４８】
より詳細には、図７に示すように、第１の回転体２３の裏面に形成された小径歯車２６は、アラーム時刻制御回路基板２１を貫通して配置されており、アラーム時刻制御回路基板２１の裏面であって、同一平面上に配置された伝え歯車３３と噛み合う。また、伝え歯車３３の裏面に形成された中径歯車３５は、同一平面上であって、アラーム時刻制御回路基板２１の方向にアラーム針９が設置される先端部が突出して配置されたアラーム車３１と噛み合う。
【００４９】
このような配置を形成する各歯車に対し、操作部１１から駆動力を加えると、当該駆動力は、大径歯車３４ｃから操作歯車３４ｂに伝播し、さらに、操作歯車３４ａを介して伝え歯車３３に伝播する。
【００５０】
伝え歯車３３は、自身に形成された中径歯車３５に噛み合うアラーム車３１に駆動力を伝えるとともに、第１の回転体２３に形成され、伝え歯車３３に噛み合う小径歯車２６に駆動力を伝える。すなわち、伝え歯車３３を配置することで第１の回転体２３及びアラーム車３１に駆動力が同期して伝播することになる。
【００５１】
なお、第１の回転体２３と第２の回転体２５とは、同一平面上に噛み合って配置されているが、第２の回転体２５の外周全体に歯が形成されているのに対し、第１の回転体２３は、所定の領域にのみ歯が形成されている。本実施例において所定の領域とは、分にして５５分から００分に相当する領域である。
【００５２】
したがって第２の回転体２５は第１の回転体２３が３６０°回転すると所定の角度だけ回転する。本実施例においては第１の回転体２３が３６０°回転すると第２の回転体２５は３０°回転する。この角度は第２の回転体２５においては１時間に相当する。
【００５３】
第２の回転体２５は、上述したように第１の回転体２３の５５分から００分の間だけかみ合って所定の角度回転するが、それ以外の領域では第１の回転体２３が回転しても、それに伴って回転することなく、その位置を保っている。
【００５４】
このように、アラーム車３１に設置されたアラーム針９を移動させるとともに、第１の回転体２３及び第２の回転体２５も回転することで、アラーム時刻の設定が可能となる。
【００５５】
さらに、本発明は、上述した実施形態に限定されるものではなく、その要旨を逸脱しない範囲内で種々変形して実施することが可能である。
【産業上の利用可能性】
【００５６】
以上、説明したように、本発明に係るアラーム針駆動装置は、アラーム針を視認しながら、部品の精度によらない正確で細かなアラーム時刻設定が可能となり、産業上の利用可能性が高い。
【図面の簡単な説明】
【００５７】
【図１】図１は、本発明の実施の形態に係る目覚し時計の正面図である。
【図２】図２は、本発明の実施の形態に係る目覚し時計のブロック図である。
【図３】図３は、ムーブメント装置の平面図である。
【図４】図４は、アラーム時刻制御機構を分解した平面図である。
【図５】図５は、アラーム時刻制御機構の縦断面図である。
【図６】図６は、アラーム針駆動装置の平面図である。
【図７】図７は、アラーム針駆動装置の縦断面図である。
【図８】図８は、パターンを説明するための図である。
【図９】図９は、接片とパターンとの関係を説明する図である。
【図１０】図１０は、パターンと時刻との関係を示す図である。
【図１１】図１１は、接片とパターンとの関係を説明する他の図である。
【図１２】図１２は、接片とパターンとの関係を説明する図である。
【符号の説明】
【００５８】
１  目覚し時計
３  長針
５  短針
６  秒針
７  ムーブメント装置
９  アラーム針
１１  操作部
１３  アラーム針駆動装置
１５  制御回路基板
１６  内部時計
１７  アラーム時刻制御機構
１８  発振器
１９  保持部材
２０  時刻情報受信手段
２１  アラーム時刻制御回路基板
２２  時刻表示手段
２３  第１の回転体
２３ａ  第１の接片
２３ａａ、２３ａｂ  端部
２３ａａ１、２３ａａ２、２３ａｂ１、２３ａｂ２  接点
２４  報知手段
２５  第２の回転体
２５ａ  第２の接片
２５ａａ、２５ａｂ  端部
２５ａａ１、２５ａａ２、２５ａｂ１、２５ａｂ２  接点
２６  小径歯車
２７  第１のパターン
２９  第２のパターン
３０  非導通部分
３１  アラーム車
３３  伝え歯車
３４ａ、３４ｂ  操作歯車
３４ｃ  大径歯車
３５  中経歯車
【図１】
2007292517.tif 000003
【図２】
2007292517.tif 000004
【図３】
2007292517.tif 000005
【図４】
2007292517.tif 000006
【図５】
2007292517.tif 000007
【図６】
2007292517.tif 000008
【図７】
2007292517.tif 000009
【図８】
2007292517.tif 000010
【図９】
2007292517.tif 000011
【図１０】
2007292517.tif 000012
【図１１】
2007292517.tif 000013
【図１２】
2007292517.tif 000014